(57)【特許請求の範囲】
【請求項１】
電気室或いは既設のキャビネットの空き空間に多回路開閉器を設置する多回路開閉器の設置方法であって、
開閉器本体（２）が収納取付された第１の四角枠状のフレーム（３）と、各ケーブルを独立に支持する第１のケーブルサポート（４）が下部に、各ケーブルをまとめて支持する第２のケーブルサポート（５）が上部に収納取付された第２の四角枠状のフレーム（６）とを、設置現場まで運搬する運搬工程と、
前記運搬工程によって設置現場に運ばれた前記第１の四角枠状のフレーム（３）を下段にし、その上に、前記第２の四角枠状のフレーム（６）を積上げる積上工程と、
前記積上工程によって上下２段積みにした前記第１の四角枠状のフレーム（３）および前記第２の四角枠状のフレーム（６）を連結する連結工程と、
前記連結工程によって連結された前記第１の四角枠状のフレーム（３）および前記第２の四角枠状のフレーム（６）に収納取付された前記開閉器本体（２）のブッシング端子と、分岐用ケーブルのコネクタとを接続する接続工程と、
前記接続工程によって前記分岐用ケーブルが接続された前記ブッシング端子から延びる分岐用ケーブルそれぞれを前記第１のケーブルサポート（４）によって独立に支持し、当該支持位置より上方で、前記第１のケーブルサポート（４）によって独立に支持された分岐用ケーブルをさらに前記第２のケーブルサポート（５）によってまとめて支持し、フレーム（６）上面（６ｇ）から上方へ引き出すケーブル敷設工程と
からなることを特徴とする多回路開閉器の設置方法。
【発明の詳細な説明】
【０００１】
【発明の属する技術分野】
本発明は多回路開閉器の改良に係り、特に開閉器を収納取付した開閉器側のフレームと、ケーブルサポートを収納取付したケーブルサポート側のフレームとを別々に組立て工場を出荷し、これら別々に出荷した両フレームを設置現場において２段積にし、且つ両フレームを連結（合体）して使用するようにしたケーブル上方引出型多回路開閉器に関するものである。
【０００２】
【従来の技術】
路上等の屋外に設置される多回路開閉器はフレーム（又はベース）と称する台状の枠体に開閉器本体を乗せるようにして取付け、さらに安全上或いは景観上の理由からこれら開閉器並びに枠体の外側に箱型のキャビネットが被せられている。
ところで、上記路上設置型多回路開閉器は実際には路上に限定されて施設されるだけではない。例えば、屋内の電気室に設置されたり、屋外であっても既設のキャビネット（配電盤）の空き空間を利用しここに設置されたりすることがある。
【０００３】
【発明が解決しようとする課題】
つまり、安全上或いは景観上問題が無いところでも依然としてキャビネットを備えた路上設置型多回路開閉器がそのまま使用されている。そのためキャビネットに起因するコスト高を招いたり重量が軽減できないために運搬並びに設置に支障をきたしていた。
【０００４】
また路上設置型のものはマンホール上に設置されるため分岐用ケーブルは開閉器のブッシングより地中側の下方に向かって引き出すようになつており、ケーブルを無理やりに曲げたりしなければならず開閉器のブッシング端子に接続する分岐用ケーブルを上方へ引き出す場所での使用には適していなかった。
【０００５】
【課題を解決するための手段】
本願発明は上記諸々の問題点を解決するためのもので、電気室或いは既設のキャビネットの空き空間に多回路開閉器を設置する多回路開閉器の設置方法であって、開閉器本体（２）が収納取付された第１の四角枠状のフレーム（３）と、各ケーブルを独立に支持する第１のケーブルサポート（４）が下部に、各ケーブルをまとめて支持する第２のケーブルサポート（５）が上部に収納取付された第２の四角枠状のフレーム（６）とを、設置現場まで運搬する運搬工程と、前記運搬工程によって設置現場に運ばれた前記第１の四角枠状のフレーム（３）を下段にし、その上に、前記第２の四角枠状のフレーム（６）を積上げる積上工程と、前記積上工程によって上下２段積みにした前記第１の四角枠状のフレーム（３）および前記第２の四角枠状のフレーム（６）を連結する連結工程と、前記連結工程によって連結された前記第１の四角枠状のフレーム（３）および前記第２の四角枠状のフレーム（６）に収納取付された前記開閉器本体（２）のブッシング端子と、分岐用ケーブルのコネクタとを接続する接続工程と、前記接続工程によって前記分岐用ケーブルが接続された前記ブッシング端子から延びる分岐用ケーブルそれぞれを前記第１のケーブルサポート（４）によって独立に支持し、当該支持位置より上方で、前記第１のケーブルサポート（４）によって独立に支持された分岐用ケーブルをさらに前記第２のケーブルサポート（５）によってまとめて支持し、フレーム（６）上面（６ｇ）から上方へ引き出すケーブル敷設工程とからなることを特徴とする多回路開閉器の設置方法を提案するものである。
【０００６】
【発明の実施の形態】
以下、本願発明のケーブル上方引出型多回路開閉器について図１乃至は図２０に基づき詳細に説明する。
１は開閉器を収納取付した四角枠状のフレーム３を下段にし、その上にケーブル支持用のケーブルサポートを収納取付した四角枠状のフレーム６を段積みし、且つ上下２段積み状態で両フレーム３、６を連結した構成からなるケーブル上方引出型多回路開閉器を示す。
【０００７】
上記において、まず開閉器側（下段側）のフレーム３の構成について図１及び図２、図６及び図７、図８に基づき説明する。
３は下段側のフレームであり、同フレームの上部に位置して多回路開閉器２が収納取付されている。多回路開閉器２は３回路の分岐回路を備えたガス開閉器からなり、その開閉器本体２の側面２ａがフレーム３の側面３ａ、３ａにネジ着されている。
【０００８】
７は開閉器本体２の前面側の凹部２ｂに複数（３回路分）併設された開閉器のブッシング端子であり、同端子に対し各々分岐用ケーブル８が接続され上方に引き出される。９は開閉器の単線回路構成図９ａ、電路の入・切の文字９ｂ等が表示された表示板、１０は開閉器本体２の下面２ｃに付設した放圧装置、１１はフレーム３の前面３ｂの上部前面に電気的並びに機械的に付設した接地用端子を示す。
【０００９】
また、１２はフレーム３の上部前面側に取脱自在に取付けられた透明絶縁板であり、開閉器２の前面側つまり操作側をカバーするようにして取り付けられている。なお、透明絶縁板１２は図１に示すように同板には右端の開閉器部２１の操作部１３１に位置して貫通孔からなる操作穴１２ａが設けられており、中央及び左端に位置する他の開閉器部２２、２３の開閉操作については同板１２を取り外した状態で操作部（操作軸）１３２、１３３に対しハンドルを装着して開閉操作を行なうようになっている。
【００１０】
１４はフレーム３の両側面３ａにその両端を固設した取付板１５に取り付けられた試験用端子であり、ブッシング端子７に接続するケーブル８の絶縁抵抗試験等の際に使用するものである。１６はフレーム３の下部後面３ｃ側に取り付けた筋交い状の補強板、１７は下部前面に止着した下部前面取付板、１８はフレーム３の側面３ａに止着した側面取付板、１９は反対側の側面３ａに止着した側面取付板、２０は側面の取付板１８に付設した支持部２１に掛止保持したＴ型タイプの操作ハンドルであり、同ハンドルの鍵部を上記操作部（操作軸）１３１に嵌合装着して時計方向或いは反時計に回動して開閉器の電路開閉を行なうものである。なお、開閉器側のフレーム３への組付けは上記状態（図６及び図７参照）で一応終了し、該組立状態で設置場所に工場から出荷される。
【００１１】
次にケーブルサポート側（上段側）のフレーム６の構成について図１及び図２、図９及び図１０、図１１に基づき説明する。
４はフレーム６の下部側面６ａ、６ａ間に支持本体２２の両端を各々固設して取り付けた第１のケーブルサポートであり、開閉器のブッシング端子７に接続する複数の分岐用ケーブル８の各々のケーブルの下部のリード部８ａを備え付けのクリート２３と押え金具２４により挟むようにして保持するものである。
【００１２】
５は上記第１のケーブルサポート４と同様にフレーム６の上部側面６ｂ、６ｂ間に支持板２５の両端を固設して取り付けそれにクリート２６を取り付けた第２のケーブルサポートであり、同じくクリート２６と備え付けの押え金具２７により各開閉器毎（３本）のケーブル８のリード部８ａを一まとめにして挟むように保持するもので、上方に引き出されたケーブルに加わる荷重の大半をこの保持部分において負担するようになっている。
【００１３】
２８は支持板２５に止着した計測用の零相変流器、２９はフレーム６の前面に止着した前面取付板、３０、３１はフレームの両側面６ａ、６ａ間に各々止着した側面取付板を示す。なお、上記止着は通常の止着手段であるネジによりフレームに取付ける方法である。ケーブルサポート側のフレーム６への組付けは、上記状態（図１１参照）で一応終了し、該組立状態で工場から設置場所に出荷される。
【００１４】
次に、両フレームの合体（２段積み組立て）、つまり開閉器の設置状態について説明する。図３乃至図５は工場より別々に出荷された両フレーム３、６を設置現場において上下２段積みし、かかる状態で両フレームを連結した場合を示すもので、設置箇所において、基礎に固定した枠状のベース３２上に開閉器側のフレーム３を下段にして取付設置し、取付設置後、フレームの上部にネジ着する吊下用ボルト３５を外し、その上段にケーブルサポート側のフレーム６を積み上げさらに上段側のフレーム６の下端部６ｄと下段側のフレーム３の上端部３ｄを図１９、図２０に示すようにボルト３３、ナット３４により何個所かネジ着して両フレームを連結したもので、連結（合体）により全体が１つの縦長の四角枠状からなるフレーム構成となる。なお、上記において取付箇所の基礎固定するベース３２は開閉器側のフレーム３に対しその下端にあらかじめ連結（合体）した状態で出荷することでも良い。
【００１５】
８はＴ型端末と称する分岐用ケーブルであり、下段側のフレーム３に位置する開閉器２の各ブッシング端子７に対しコネクター部８ｂをそれぞれ接続し、接続したケーブル８の各リード部８ａを上段側のフレーム６の第１のケーブルサポート４と第２のケーブルサポート５により保持し、保持したリード部の先端側を上段側のフレーム６の上面の空間部６ｇより引き出し、さらに上方側に配設された幹線ケーブル（特に図示しない）に対し接続する使用形態である。
【００１６】
【発明の効果】
以上のように、本願発明のケーブル上方引出型多回路開閉器は、組立（出荷）時には、開閉器とケーブルサポートを別々のフレームにそれぞれ収納取付し、かかる別々に収納取付した状態で両フレームを取付現場まで運搬納入し、設置現場に納入した後、開閉器側のフレームを下段にし、その上にケーブルサポート側のフレームを積み、これら両フレームを上下２段積みした状態で連結すようにした構成のため、軽量化或いは小型化された各フレーム単位で運搬や取付を行なうことができ、作業性を著しく高めることができる特長がある。
【００１７】
また同時に、電気室或いは既設のキャビネットの空き空間等を利用して取付設置するため、キャビネットが不要となりその分、コスト低減が図れる特長がある。
【００１８】
また、両フレームが連結した状態ではフレーム全体が１つの縦長の四角枠状のフレーム構成となるため、下段側のフレームの開閉器のブッシング端子に接続する分岐用ケーブルは、上段側のフレームのケーブルサポートにより一旦保持された後、フレームの上面の空間から上方へ引出しされるため、分岐用ケーブルの確実な固定と上方へ引き出された同ケーブルの幹線ケーブル等への接続がし易くなる特長がある。
【図面の簡単な説明】
【図１】本願発明のケーブル上方引出型多回路開閉器の正面図であり、ケーブルサポート側のフレームの前面取付板を取外した状態を示す。
【図２】図１の側面図であり、両フレームの側面取付板を取外した状態を示す。
【図３】分岐ケーブルの装着前におけるケーブル上方引出型多回路開閉器の正面図を示す。
【図４】図３の右側面図を示す。
【図５】図３の左側面図を示す。
【図６】開閉器側のフレームの正面図を示す。
【図７】図６の側面図を示す。
【図８】図６において下部前面取付板を取付けた状態を示す。
【図９】ケーブルサポート側のフレームの正面図を示す。
【図１０】図９の側面図であり、側面板を取外した状態を示す。
【図１１】図９において前面取付板を取付けた状態を示す。
【図１２】多回路開閉器の正面図を示す。
【図１３】第１のケーブルサポートの正面図を示す。
【図１４】図１３の側面図を示す。
【図１５】図１３の平面図を示す。
【図１６】第２のケーブルサポートの正面図を示す。
【図１７】図１６の側面図を示す。
【図１８】図１６の平面図を示す。
【図１９】両フレームの連結状態を示す要部拡大図。
【図２０】図１９の側面図を示す。
【符号の説明】
１    ケーブル上方引出型多回路開閉器
２    開閉器本体（多回路開閉器）
３    開閉器側のフレーム
４    第1のケーブルサポート
５    第２のケーブルサポート
６    ケーブルサポート側のフレーム
６ｇ  上面
７    ブッシング端子
８    分岐用ケーブル
８ａ  リード部
【図１】
0004693079.tif 000002
【図２】
0004693079.tif 000003
【図３】
0004693079.tif 000004
【図４】
0004693079.tif 000005
【図５】
0004693079.tif 000006
【図６】
0004693079.tif 000007
【図７】
0004693079.tif 000008
【図８】
0004693079.tif 000009
【図９】
0004693079.tif 000010
【図１０】
0004693079.tif 000011
【図１１】
0004693079.tif 000012
【図１２】
0004693079.tif 000013
【図１３】
0004693079.tif 000014
【図１４】
0004693079.tif 000015
【図１５】
0004693079.tif 000016
【図１６】
0004693079.tif 000017
【図１７】
0004693079.tif 000018
【図１８】
0004693079.tif 000019
【図１９】
0004693079.tif 000020
【図２０】
0004693079.tif 000021